(57)【要約】【課題】無駄な電力消費を抑制して温度調節の対象である温度調節対象物を温度調節する。【解決手段】インクを温度調節する温度調節器１３１と、インクの温度を検出する温度計９１と、検出された温度が温度調節器１３１による温度調節を開始する第１基準温度に達したときに、温度が第１基準温度に達した時点から温度調節器１３１がスリープ動作への移行により停止する時点までのスリープ移行時間Ｔ１を算出すると共に、温度が第１基準温度に達した時点から温度調節器１３１により温度調節されて目標温度である第２基準温度に達する時点までの目標温度到達時間Ｔ２を算出する時間算出部２５と、スリープ移行時間Ｔ１がＴ２目標温度到達時間より長い場合、温度調節器１３１による温度調節を実行し、スリープ移行時間Ｔ１が目標温度到達時間Ｔ２より短い場合、温度調節部１３１による温度調節を実行しないように制御する温度制御部２７とを備える。【選択図】図２
2015085556.tif 000002
【特許請求の範囲】
【請求項１】
温度調節対象物に対して加熱又は冷却することにより温度調節する温度調節手段と、
前記温度調節対象物の温度を検出する検出手段と、
前記検出手段により検出された温度が前記温度調節手段による温度調節を開始する第１基準温度に達した時点から前記温度調節手段がスリープ動作への移行により停止する時点までのスリープ移行時間を算出すると共に、前記第１基準温度に達した時点から前記温度調節手段により温度調節されて目標温度である第２基準温度に達する時点までの目標温度到達時間を算出する時間算出手段と、
前記算出されたスリープ移行時間が前記算出された目標温度到達時間より長い場合、前記温度調節手段による温度調節を実行し、前記算出されたスリープ移行時間が前記算出された目標温度到達時間より短い場合、前記温度調節手段による温度調節を実行しないように制御する制御手段と、
を備えたことを特徴とする温度調節装置。
【発明の詳細な説明】
【技術分野】
【０００１】
本発明は、無駄な電力消費を抑制して温度調節対象物を温度調節する温度調節装置に関する。
【背景技術】
【０００２】
印刷装置では、インクの特性を考慮し、インクが適正な粘度になるように温度調節してから画像を印刷する。印刷に用いられるインクは、低温では粘度が高く、高温では粘度が低いというように温度条件により粘度が変化する温度特性を有しているため、印刷装置は、インクの粘度によりインク滴の液滴径の大きさや吐出速度にばらつきが生じたり、吐出によるミストの発生量が増加し、高精細な印刷物を得ることができなくならないようにインクの温度調節をする必要がある。
【０００３】
また、印刷装置には、印刷装置の省電力を図るため、印刷装置への操作が無い状態が所定時間継続したことを条件に省電力モード（スリープモード）に移行するものがある。
【０００４】
特許文献１には、ユーザ操作、端末装置からの印刷データの受信や外部のファクシミリ装置からのファクシミリデータの受信が無い状態が所定時間継続したことを条件に省電力モード（スリープモード）に移行するものがある。
【先行技術文献】
【特許文献】
【０００５】
【特許文献１】特開２０１１−５５０８０号公報
【発明の概要】
【発明が解決しようとする課題】
【０００６】
しかしながら、特許文献１記載の印刷装置では、インクの温度が印刷するために必要な下限温度となったとき、温度調節器はインクの加温を開始するが、温度調節器でインクの加温を開始した後、インク温度が適正温度に到達する前に、所定時間が経過してスリープモードに移行した場合、温度調節器がオフとなる。そのため、スリープモードが解除されると、再度、温度調節器がインクを加温する必要があるので、スリープモード移行までインクを加温するために消費した電力が無駄になってしまう。
【０００７】
本発明は、上記課題に鑑みてなされたものであり、無駄な電力消費を抑制して温度調節の対象である温度調節対象物を温度調節する温度調節装置を提供することを目的とする。
【課題を解決するための手段】
【０００８】
上記目的を達成するため、本発明に係る温度調節装置の第１の特徴は、温度調節対象物に対して加熱又は冷却することにより温度調節する温度調節手段と、前記温度調節対象物の温度を検出する検出手段と、前記検出手段により検出された温度が前記温度調節手段による温度調節を開始する第１基準温度に達した時点から前記温度調節手段がスリープ動作への移行により停止する時点までのスリープ移行時間を算出すると共に、前記第１基準温度に達した時点から前記温度調節手段により温度調節されて目標温度である第２基準温度に達する時点までの目標温度到達時間を算出する時間算出手段と、前記算出されたスリープ移行時間が前記算出された目標温度到達時間より長い場合、前記温度調節手段による温度調節を実行し、前記算出されたスリープ移行時間が前記算出された目標温度到達時間より短い場合、前記温度調節手段による温度調節を実行しないように制御する制御手段と、を備えたことにある。
【発明の効果】
【０００９】
本発明に係る温度調節装置の第１の特徴によれば、制御手段が、算出されたスリープ移行時間が算出された目標温度到達時間より長い場合、温度調節手段による温度調節を実行し、算出されたスリープ移行時間が算出された目標温度到達時間より短い場合、温度調節手段による温度調節を実行しないように制御するので、温度調節手段が加温のための電力を無駄に消費することなく、温度調節の対象である温度調節対象物を温度調節することができる。
【図面の簡単な説明】
【００１０】
【図１】本発明の実施例１に係るインクジェット印刷装置において、インクジェットヘッドのノズルから吐出されるインクを循環するインク循環経路を模式的に示した図である。
【図２】本発明の実施例１に係るインクジェット印刷装置の機能構成を示した図である。
【図３】（ａ）は、スリープ移行時間の算出を説明した図であり、（ｂ）は、目標温度到達時間の算出を説明した図である。
【図４】本発明の実施例１に係るインクジェット印刷装置における処理手順を示したフローチャートである。
【図５】本発明の実施例１に係るインクジェット印刷装置における動作を示したタイミングチャートである。
【発明を実施するための形態】
【００１１】
以下、本発明の実施の形態を、図面を参照しながら詳細に説明する。
【実施例１】
【００１２】
本発明の実施例１に係るインクジェット印刷装置について以下に説明する。
【００１３】
＜インクジェット印刷装置の構成＞
本発明の実施例１では、温度調整装置として、インクの温度を調整しながら循環経路内で循環させるインク循環方式のインクジェット印刷装置を例に挙げて説明する。
【００１４】
図１は、本発明の実施例１に係るインクジェット印刷装置１において、インクジェットヘッドのノズルから吐出されるインクを循環するインク循環経路を模式的に示した図である。
【００１５】
図１に示すように、本発明の実施例１に係るインクジェット印刷装置１は、インクＩＫが貯留された上部インクタンク１０１を備えている。そして、この上部インクタンク１０１と、インクＩＫを吐出するインクジェットヘッドユニット１２０内の上流側に設けたインク供給室１２３とは、インク供給経路１０５を介して接続されており、このインク供給経路１０５上には第１電磁弁１０２が設けられている。
【００１６】
さらに、インクジェットヘッドユニット１２０内の下流側に設けたインク回収室１２４と、このインク回収室１２４から回収したインクＩＫを貯蔵する下部インクタンク１０９と、ポンプ１３０と、温度調節器１３１と、上部インクタンク１０１とは、インク回収経路１０６を介して接続されている。これにより、下部インクタンク１０９に貯留されたインクＩＫは、ポンプ１３０が駆動することにより温度調節器１３１側へ送出され、また、第２電磁弁１０８がオン／オフ制御されることにより、インク回収経路１０６を流れるインクＩＫの流量が制御される。なお、温度調節器１３１は、インクＩＫを加温するためのヒーターからなる加温部と、インクＩＫを冷却するための冷却ファンおよびヒートシンクからなる冷却部（共に図示しない）を備えている。
【００１７】
従って、インクＩＫを、上部インクタンク１０１とインク供給経路１０５とインク回収経路１０６と下部インクタンク１０９とを含むインク循環経路１０７内を循環させる場合、インク循環経路１０７に設けた第１電磁弁１０２及び第２電磁弁１０８をオン動作させる（開状態にする）と、上部インクタンク１０１内に貯蔵されたインクＩＫはインク供給経路１０５内を通ってインクジェットヘッドユニット１２０のインク供給室１２３内に供給される。そして、このインク供給室１２３からインクＩＫが２次元的に配置された複数のインクジェットヘッド１１０に分配され、各インクジェットヘッド１１０からインクＩＫが印刷用紙Ｗ上に選択的に吐出される。
【００１８】
さらに、各インクジェットヘッド１１０からインクＩＫが印刷用紙Ｗ上に選択的に吐出された後、各インクジェットヘッド１１０からの余剰のインクＩＫがインク回収室１２４内に集められて、インク回収室１２４からのインクＩＫがインク回収経路１０６内を通って下部インクタンク１０９内に一時的に貯蔵される。
【００１９】
この後、下部インクタンク１０９内のインクＩＫは、ポンプ１３０により送出され、温度調節器１３１を介して、上部インクタンク１０１に供給される。
【００２０】
また、下部インクタンク１０９は、インクＩＫを充填したインクボトル１０３と接続されており、第３電磁弁１０４がオン制御される（開状態にする）ことにより、インクボトル１０３内に貯留されたフレッシュなインクＩＫが下部インクタンク１０９に供給される。
【００２１】
＜インクジェット印刷装置１の機能構成＞
次に、本発明の実施例１に係るインクジェット印刷装置１の機能構成について説明する。
【００２２】
図２は、本発明の実施例１に係るインクジェット印刷装置１の機能構成を示した図である。
【００２３】
図２に示すように、インクジェット印刷装置１は、ハードディスク７１と、ＲＡＭ７３と、操作部３と、制御部２と、温度計９１と、温度調節器１３１とを備えている。これらの構成のうち、温度調節器１３１の構成については、上述したので、説明を省略する。
【００２４】
ハードディスク７１は、制御部２が実行する各種制御プログラム等を記憶している。また、ハードディスク７１は、後述する目標温度到達時間Ｔ２を算出するために、ある温度から第２基準温度（目標温度）まで加温するまでの時間を、目標温度到達時間テーブルとして記憶している。
【００２５】
ＲＡＭ７３は、不揮発性半導体等で構成され、制御部２が実行する各種制御プログラムや各種データを記憶している。
【００２６】
操作部３は、インクジェット印刷装置１の上部に設けられ、表示／入力パネル３１と、主電源をオンに設定するための電源キー、読み取りや印刷等を開始させるためのスタートキー、読み取りや印刷等を停止させるためのストップキー、印刷枚数等を入力するためのテンキー（いずれも図示せず）等の各種操作キーとを備えている。
【００２７】
操作部３の表示／入力パネル３１は、前面に配置された感圧式あるいは静電式の透明なタッチパネルと、このタッチパネルの裏面に配置された液晶表示パネル（いずれも図示せず）とを有している。利用者は、液晶表示パネルの表示画面を見ながら、タッチパネルの表面を指などで直接触れることで、各種の設定入力操作等を行うことができる。ユーザにより表示／入力パネル３１から何らかの操作がなされたり、各種操作キーが押下操作されると、後述するスリープモードが解除される。
【００２８】
温度計９１は、インク循環経路１０７上に設けられ、インク循環経路１０７内を流れるインクＩＫのインク温度を検出する。
【００２９】
制御部２は、インクジェット印刷装置１の中枢的な制御を行う。また、制御部２は、その機能上、スリープ制御部２１と、タイマー２３と、時間算出部２５と、温度制御部２７とを備える。
【００３０】
スリープ制御部２１は、レディモードとスリープモードとを切り替える。レディモードとは、印刷動作を実行可能なモードである。一方、スリープモードとは、温度調節器１３１による温度調節を行わずに消費電力を減少させるモードであり、スリープモードに移行すると、温度調節器１３１はオフされる。
【００３１】
スリープ制御部２１は、レディモードのときに、タイマー２３により計時された、ユーザにより最後の操作が行われたか、又は最後に印刷ジョブを受信した時点からの経過時間が、予め設定されたスリープモードへの移行設定時間Ｔ３に達したとき、スリープモードへの移行処理を実行する。また、スリープ制御部２１は、スリープモード中に、ユーザにより操作が行われたか、又は印刷ジョブを受信した場合に、スリープモードを解除してレディモードへの移行処理を実行する。
【００３２】
タイマー２３は、ユーザにより最後の操作が行われたか、又は最後に印刷ジョブを受信した時点からの経過時間を測定する。
【００３３】
上述したように、ユーザにより最後の操作が行われた時点からの経過時間が、予め設定されたスリープモードへの移行設定時間Ｔ３に達したとき、スリープ制御部２１が、スリープモードへの移行処理を実行する。そのため、タイマー２３は、ユーザにより操作が行われる、又は印刷ジョブを受信する度に、計時した経過時間をリセットすることにより、ユーザにより最後の操作が行われたか、又は最後に印刷ジョブを受信した時点からの経過時間を測定する。
【００３４】
時間算出部２５は、温度計９１により検出された温度が予め設定された第１基準温度に達したときに、温度計９１により検出された温度が温度調節器１３１による温度調節を開始する第１基準温度に達した時点から温度調節器１３１がスリープモードへの移行により停止する時点までのスリープ移行時間Ｔ１を算出する。
【００３５】
また、時間算出部２５は、温度計９１により検出された温度が第１基準温度に達した時点から温度調節器１３１により温度調節されて目標温度である第２基準温度に達する時点までの目標温度到達時間Ｔ２を算出する。具体的には、時間算出部２５は、ハードディスク７１に記憶された目標温度到達時間テーブルから、温度計９１により検出された温度から第２基準温度まで加温して達する時点までの時間を目標温度到達時間Ｔ２として抽出する。
【００３６】
図３（ａ）は、スリープ移行時間Ｔ１の算出を説明した図であり、図３（ｂ）は、目標温度到達時間Ｔ２の算出を説明した図である。なお、ここでは、説明のため、図３（ａ）は、スリープ機能を有する従来技術である印刷装置を例に挙げて、スリープ移行時間Ｔ１の算出を説明し、図３（ｂ）は、スリープ機能を使用しない印刷装置を例に挙げて、目標温度到達時間Ｔ２の算出を説明する。
【００３７】
スリープ機能を有する従来技術である印刷装置では、図３（ａ）に示すように、ｔ０時点において、ユーザにより何らかの操作が行われる、又は印刷ジョブを受信することにより、タイマー２３による計時が開始される。
【００３８】
ｔ１時点では、温度計９１により測定された温度が第１基準温度である２５（℃）に達している。
【００３９】
すると、１１３に示すように、温度調節器１３１がオン動作され（ここでは、加温部により加温されている）、インク温度１１１は上昇する。
【００４０】
その後、ｔ０時点からスリープモードへの移行設定時間Ｔ３が経過したｔ３時点において、従来技術の印刷装置でスリープ機能を有するとした場合では、スリープモードに移行し、温度調節器１３１をオフとする。このときの、温度計９１により検出された温度が第１基準温度である２５（℃）に達したｔ１時点からスリープモードへの移行するｔ３時点までの時間が、スリープ移行時間Ｔ１となる。
【００４１】
スリープ機能を有する従来技術である印刷装置では、ｔ３時点において、スリープモードへの移行するので温度調節器１３１がオフとなり、ｔ３時点からインクの温度１１１が環境温度に近い温度まで低下している。そして、ｔ５時点において、ユーザにより最後の操作が行われたか、又は最後に印刷ジョブを受信すると、再度、温度調節器１３１をオンとして、インク温度１１１が第２基準温度（目標温度）である３５（℃）に到達するまで加温する。
【００４２】
そして、ｔ７時点において、インクの温度１１１が第２基準温度（目標温度）である３５（℃）に達すると、印刷可能な状態となるので、温度調節器１３１をオフとする。
【００４３】
このように、スリープ機能を有する従来技術である印刷装置では、図３（ａ）に示したｔ１時点からｔ３時点までの間、温度調節器１３１が加温したにもかかわらず、スリープ動作への移行し温度調節器１３１をオフとなってしまうので、印刷するためには、ｔ５時点から再度加温する必要がある。そのため、図３（ａ）に示したｔ１時点からｔ３時点までの間に、温度調節器１３１が加温のために消費した電力が無駄になってしまっていた。
【００４４】
また、スリープ機能を使用しない印刷装置では、図３（ｂ）に示すように、ｔ１１時点において、温度計９１により測定されたインク温度２０１が第１基準温度である２５（℃）に達している。
【００４５】
すると、温度調節器１３１がオン動作され（ここでは、加温部により加温されている）、インク温度２０１は上昇する。そして、ｔ１３時点において、インク温度２０１が第２基準温度（目標温度）である３５（℃）に達すると、印刷可能な状態となるので、２０３に示すように、温度調節器１３１をオフとする。このときの、温度計９１により検出されたインク温度２０１が第１基準温度である２５（℃）に達したｔ１１時点から、温度調節器１３１により加温されて第２基準温度（目標温度）である３５（℃）に達する時点までの時間が、目標温度到達時間Ｔ２となる。
【００４６】
本発明の実施例１に係るインクジェット印刷装置１では、インク循環経路１０７内を循環するインク量は一定であり、温度調節器１３１が出力する熱エネルギーが一定であるので、ある温度（ここでは２５℃）から第２基準温度（目標温度：３５℃）まで加温するまでの時間は一定となる。そのため、予め、ハードディスク７１に、ある温度（ここでは２５℃）から第２基準温度（目標温度：３５℃）まで加温するまでの目標温度到達時間Ｔ２を、目標温度到達時間テーブルとして記憶している。
【００４７】
図２に戻り、温度制御部２７は、算出されたスリープ移行時間Ｔ１が算出された目標温度到達時間Ｔ２より長い場合、温度調節器１３１による温度調節を実行し、算出されたスリープ移行時間Ｔ１が算出された目標温度到達時間Ｔ２より短い場合、温度調節器１３１による温度調節を実行しないように制御する。
【００４８】
＜インクジェット印刷装置１の作用＞
次に、本発明の実施例１に係るインクジェット印刷装置１の作用について説明する。
【００４９】
図４は、本発明の実施例１に係るインクジェット印刷装置１における処理手順を示したフローチャートである。
【００５０】
図４に示すように、制御部２は、操作が行われたか否かを判定する（Ｓ１０１）。具体的には、ユーザにより操作部３から直接操作が行われたか、又は図示しないネットワーク接続されたパーソナルコンピュータなどから印刷ジョブを受信した場合、制御部２は、操作が行われたと判定する。
【００５１】
ステップＳ１０１において、操作が行われたと判定された場合（ＹＥＳ）、タイマー２３は、計時していた経過時間をリセットした後（Ｓ１０３）、新たに、０から経過時間を計時し始める（Ｓ１０５）。これにより、タイマー２３は、ユーザにより最後の操作が行われたか、又は最後に印刷ジョブを受信した時点からの経過時間を測定することができる。
【００５２】
次に、制御部２の時間算出部２５は、温度計９１により検出されたインクの温度が予め設定された第１基準温度に達したか否かを判定する（Ｓ１０７）。
【００５３】
ステップＳ１０７において、温度計９１により検出されたインクの温度が予め設定された第１基準温度に達したと判定された場合（ＹＥＳ）、時間算出部２５は、温度計９１により検出されたインクの温度が第１基準温度に達した時点から温度調節器１３１がスリープモードへの移行により停止する時点までのスリープ移行時間Ｔ１を算出する（Ｓ１０９）。
【００５４】
次に、時間算出部２５は、温度計９１により検出された温度が第１温度に達した時点から温度調節器１３１により温度調節されて目標温度である第２基準温度に達する時点までの目標温度到達時間Ｔ２を算出する（Ｓ１１１）。
【００５５】
そして、温度制御部２７は、ステップＳ１０９において算出されたスリープ移行時間Ｔ１が、ステップＳ１１１において算出された目標温度到達時間Ｔ２より長いか否かを判定する（Ｓ１１３）。
【００５６】
ステップＳ１１３において、スリープ移行時間Ｔ１が目標温度到達時間Ｔ２より長いと判定された場合（ＹＥＳ）、インク温度が目標温度に到達する前に、スリープモードに移行して温度調節器１３１がオフになることはない。そこで、温度制御部２７は、温度調節器１３１による温度調節を実行することにより（Ｓ１１５）、インク温度の加温を開始する。
【００５７】
一方、ステップＳ１１３において、スリープ移行時間Ｔ１が目標温度到達時間Ｔ２より短いと判定された場合、インク温度が目標温度に到達する前に、スリープモードに移行して温度調節器１３１がオフになってしまうので、温度制御部２７は、温度調節器１３１による温度調節を実行することなく、処理を終了する。
【００５８】
図５は、本発明の実施例１に係るインクジェット印刷装置１における動作を示したタイミングチャートである。
【００５９】
図５に示すように、本発明の実施例１に係るインクジェット印刷装置１では、ｔ０時点において、ユーザにより何らかの操作が行われる、又は印刷ジョブを受信することにより、タイマー２３による計時が開始される。
【００６０】
そして、ｔ２１時点において、温度計９１により測定された温度が第１基準温度である２５（℃）に達すると、時間算出部２５は、温度計９１により検出された温度が第１基準温度に達した時点から温度調節器１３１がスリープモードへの移行により停止する時点までのスリープ移行時間Ｔ１を算出すると共に、温度計９１により検出された温度が第１基準温度に達した時点から温度調節器１３１により温度調節されて目標温度である第２基準温度に達する時点までの目標温度到達時間Ｔ２を算出する。
【００６１】
ここでは、図３に示したように、スリープ移行時間Ｔ１が目標温度到達時間Ｔ２より長いと判定され、温度制御部２７は、温度調節器１３１による温度調節（ここでは、加温）を実行することなく待機する。
【００６２】
ｔ２３時点において、インクジェット印刷装置１はスリープモードに移行するが、既に、温度調節器１３１はオフであるので、インクを加温することなく、スリープモードで待機する。これにより、ｔ２４時点には、インク温度３０１は環境温度近くまで低下している。
【００６３】
そして、ｔ２５時点において、ユーザにより最後の操作が行われたか、又は最後に印刷ジョブを受信すると、スリープ制御部２１は、スリープモードを解除してレディモードへの移行処理を実行し、温度制御部２７は、温度調節器１３１をオンとして、インク温度３０１が第２基準温度（目標温度）である３５（℃）に到達するまで加温する。
【００６４】
そして、ｔ２７時点において、インクの温度３０１が第２基準温度（目標温度）である３５（℃）に達すると、印刷可能な状態となるので、温度調節器１３１をオフとする。
【００６５】
このように、本発明の実施例１に係るインクジェット印刷装置１によれば、スリープ移行時間Ｔ１が目標温度到達時間Ｔ２より短い場合、図５に示すように、温度制御部２７は、温度調節器１３１による温度調節を実行することなく待機し、ユーザにより最後の操作が行われたか、又は最後に印刷ジョブを受信したときに、温度制御部２７が、温度調節器１３１をオンとして、インク温度３０１が第２基準温度（目標温度）である３５（℃）に到達するまで加温するので、効率よくインクを加温することができる。具体的には、図３（ａ）に示すように、ｔ１時点からｔ３時点までの間において、温度調節器１３１が加温のための電力を無駄に消費することなく、図５に示すｔ２５時点まで待機してインクの加温を開始することができる。
【００６６】
また、本発明の実施例１に係るインクジェット印刷装置１によれば、スリープ移行時間Ｔ１が目標温度到達時間Ｔ２より長い場合、インク温度が目標温度に到達する前に、スリープモードに移行して温度調節器１３１がオフになることはないので、温度制御部２７が、温度調節器１３１による温度調節を実行することにより、インク温度の加温を開始する。これにより、図３（ｂ）に示したインク温度２０１と同様に、温度調節器１３１により第２基準温度（目標温度）である３５（℃）に達するまで加温されるので、効率よくインクを加温することができる。
【００６７】
なお、本発明の実施例１では、温度調節対象物であるインクの温度を調整しながら循環経路内で循環させるインク循環方式のインクジェット印刷装置を例に挙げて説明したが、温度調節対象物は、インクに限らず、例えば、封入封緘装置における封筒用紙を接着させるための水であってもよい。即ち、温度調節装置は、インクジェット印刷装置に限らず、封入封緘装置でもよい。
【００６８】
封入封緘装置とは、封筒に入れる印刷物を印刷すると共に、印刷物が封筒に入るように折りたたみ、封筒に内包するように封緘する装置であり、インクジェット印刷装置と同様に、スリープ機能を有している。この封入封緘装置で用いられる封筒用紙は、水糊等の再湿糊が塗工されている再湿糊部が設けられており、再湿糊部に水が塗布されることにより、接着力が発揮され封緘できるようになっている。
【００６９】
そこで、封入封緘装置には、封筒用紙の再湿糊部に水を塗布する加水機構部が設けられ、この水の温度が、再湿糊部に塗工されている再湿糊の接着力が大きくなるような温度に制御されていることが望ましい。
【００７０】
加水機構部は、図示しないが、水が貯留された水貯留容器を備えており、水貯留容器に貯留した水内には水塗布部材の一例として水塗布パッドが浸漬されている。水塗布パッドは「く字状」に屈曲した上方の一端部側が再湿糊部への水塗布部位となっており、且つ、上端部とは反対側の下方の他端部が水内に浸漬されている。
【００７１】
水塗布パッドは、封筒用紙の表面上の所定の接着位置に予め設けられた再湿糊部に水を自動的に塗布するために、連続多孔質構造に形成された水塗布パッドを用いて水貯留容器内の水を毛細管現象により吸い上げることができるように形成されている。
【００７２】
そして、水塗布パッドの上方の一端部側が再湿糊部へ接触することにより、水が再湿糊部に塗布されるようになっている。
【００７３】
また、水貯留容器には、水貯留容器内の水を加温又は冷却する温度調整器と、水貯留容器内の水の温度を測定する温度計とが設けられており、封入封緘装置は、温度計により検出された水の温度が予め設定された第１基準温度に達したときに、温度計により検出された水の温度が第１基準温度に達した時点から温度調節器がスリープモードへの移行により停止する時点までのスリープ移行時間を算出すると共に、温度計により検出された水の温度が第１基準温度に達した時点から温度調節器により温度調節されて目標温度である第２基準温度に達する時点までの目標温度到達時間を算出する時間算出部と、算出されたスリープ移行時間が算出された目標温度到達時間より長い場合、温度調節器による温度調節を実行し、算出されたスリープ移行時間が算出された目標温度到達時間より短い場合、温度調節器による温度調節を実行しないように制御する制御部を備えている。
【００７４】
封入封緘装置では、温度調節対象物である水は、循環されることなく水貯留容器に貯留されているので、再湿糊部に塗布されることにより減量する。そのため、水貯留容器には、液位計が設けられており、時間算出部２５は、液位計により検出された液位から水の体積を算出し、この算出した体積に基づいて、温度計により検出された温度が第１基準温度に達した時点から温度調節器により温度調節されて目標温度である第２基準温度に達する時点までの目標温度到達時間Ｔ２を算出する。
【００７５】
これにより、無駄な電力を消費することなく、温度調節の対象である水貯留容器内に貯留された水を効率よく温度調節することができる。
【００７６】
さらに、温度調節対象物は、インクや水に限らず、例えば、封入封緘装置における封筒用紙を接着させるための糊であってもよい。
【符号の説明】
【００７７】
１…インクジェット印刷装置
２…制御部
３…操作部
２１…スリープ制御部
２３…タイマー
２５…時間算出部
２７…温度制御部
３１…表示／入力パネル
７１…ハードディスク
７３…ＲＡＭ
９１…温度計
１０１…上部インクタンク
１０２…第１電磁弁
１０３…インクボトル
１０４…第３電磁弁
１０５…インク供給経路
１０６…インク回収経路
１０７…インク循環経路
１０８…第２電磁弁
１０９…下部インクタンク
１１０…インクジェットヘッド
１２０…インクジェットヘッドユニット
１２３…インク供給室
１２４…インク回収室
１３０…ポンプ
１３１…温度調節器
【図１】
2015085556.tif 000003
【図２】
2015085556.tif 000004
【図３】
2015085556.tif 000005
【図４】
2015085556.tif 000006
【図５】
2015085556.tif 000007